(57)【要約】【課題】側部脚構造のテーブルにおいて、天板と脚との当接固定部を柔構造とする。それにより、当接固定部が大型化せず、斬新にしてデザイン性に優れたテーブルを実現する。【解決手段】天板１０と脚２０とを備え、天板１０の側端面と脚２０の上端側面とを当接固定して成る組立式テーブル１である。天板１０及び脚２０の当接固定部において両者間に跨って固定された板体であり、各端部が天板１０及び脚２０にそれぞれ固定された補強板３０と、天板１０及び脚２０を互いに当接方向に固定する固定部材４０とを備える。補強板３０は、天板１０上に加わる荷重を弾性変形を伴いながら支持する強度を備え、固定部材４０は、その固定力を上回る力が反当接方向に加わると固定力を緩める弛緩構造を備える。【選択図】図７
2018029692.tif 000002
【特許請求の範囲】
【請求項１】
天板と脚とを備え、
天板の側端面と脚の上端側面とを当接固定して成る組立式テーブルであって、
天板及び脚の当接固定部において両者間に跨って固定された板体であり、各端部が天板及び脚にそれぞれ固定された補強板と、
天板及び脚を互いに当接方向に固定する固定部材とを備え、
前記補強板は、天板上に加わる荷重を弾性変形を伴いながら支持する強度を備え、
前記固定部材は、その固定力を上回る力が反当接方向に加わると固定力を緩める弛緩構造を備える組立式テーブル。
【請求項２】
請求項１において、
前記補強板及び前記固定部材は、天板及び脚の構成部材内に埋設されている組立式テーブル。
【請求項３】
請求項１又は２において、
前記固定部材は、
一端に雄ねじ、他端に係合部を備え、前記一端が天板及び脚の一方に固定された係合体と、
天板及び脚の他方に回転自在に固定され、且つ前記係合部に係合するカム面を有し、該カム面が、回転に伴って前記係合部を径方向に移動する傾斜面とされている回転体と
を備える組立式テーブル。
【請求項４】
請求項１ないし３のいずれかにおいて、
脚は、互いに隣接する２つの脚を門型に連結した門型形状とされている組立式テーブル。
【請求項５】
請求項１ないし４のいずれかにおいて、
前記補強板及び前記固定部材は金属製であり、天板及び脚は木製であり、
天板及び脚における前記補強板及び前記固定部材の固定部位は、他に比べて強度を高められている組立式テーブル。
【発明の詳細な説明】
【技術分野】
【０００１】
本発明は、ダイニングテーブル、学習テーブル、ローテーブル等に適用可能な組立式テーブルに関する。
【背景技術】
【０００２】
ダイニングテーブル、学習テーブル、ローテーブル等の組立式テーブル（以下、単にテーブルという）は、天板と脚とを組み合わせて成る。一般的には、強度確保のし易さから天板の下に脚を立てる構造が採用される。一部では、デザイン性重視の観点から、脚をテーブルの端部に寄せて結合する構造も提案されている（特許文献１〜３参照）。更なるデザインの斬新さを求めて、天板の側端面に脚の上端側面を当接固定した側部脚構造のテーブルも提案されている（特許文献４参照）。
【先行技術文献】
【特許文献】
【０００３】
【特許文献１】特開２００５−１０３１００号公報
【特許文献２】特開２０１０−０９４３９６号公報
【特許文献３】特開２０１２−０２４１３４号公報
【特許文献４】特開２００７−１５９８６７号公報
【発明の概要】
【発明が解決しようとする課題】
【０００４】
側部脚構造のテーブルには、天板と脚との当接固定部の強度確保に課題がある。即ち、テーブル使用中に天板にかかる荷重の全てが天板と脚との当接固定部にかかることになるため、その当接固定部が大型化する。例えば、天板及び脚として大型の素材を用いるか、天板と脚との間に大型の筋交いを設ける必要がある。しかし、そのようなテーブルでは、デザインの斬新さは損なわれてしまう。
【０００５】
本発明の課題は、側部脚構造のテーブルにおいて、天板と脚との当接固定部を柔構造とすることにある。それにより、当接固定部が大型化せず、斬新にしてデザイン性に優れたテーブルを実現することにある。
【課題を解決するための手段】
【０００６】
第１発明は、天板と脚とを備え、天板の側端面と脚の上端側面とを当接固定して成る組立式テーブルである。天板及び脚の当接固定部において両者間に跨って固定された板体であり、各端部が天板及び脚にそれぞれ固定された補強板と、天板及び脚を互いに当接方向に固定する固定部材とを備える。前記補強板は、天板上に加わる荷重を弾性変形を伴いながら支持する強度を備え、前記固定部材は、その固定力を上回る力が反当接方向に加わると固定力を緩める弛緩構造を備える。
【０００７】
第１発明において、天板を支持する脚は、天板の一方側だけに設けられ、天板の他方側は壁面、家具等に固定される片持ち構造とされてもよい。また、脚は、互いに隣接する２つの脚を門型に連結した門型形状、又は２つの脚を一枚の板により合わせて形成した面形状を採用することができる。更に、弛緩構造を備えた固定部材は、荷重が増大すると締付力が弛むカムロック、若しくは荷重が増大すると固定位置が荷重方向に移動する構造の固定部材を採用することができる。
【０００８】
第１発明によれば、天板に加わる荷重は、固定部材と補強板とにより支持される。そのため、テーブルとしての強度を確保するため、天板及び脚として大型の素材を用いる、又は天板と脚との間に筋交いを用いる必要を無くすことができる。従って、当接固定部が大型化せず、斬新にしてデザイン性に優れたテーブルを得ることができる。しかも、当接固定部に加わる荷重が大きくなると、弛緩構造によって固定部材による固定状態が弛むため、天板に加わる荷重は、補強板が弾性変形しながら支持される。そのため、天板と脚は、当接固定部が関節となって変形して破損を免れることができる。
【０００９】
第２発明は、上記第１発明において、前記補強板及び前記固定部材は、天板及び脚の構成部材内に埋設されている。
【００１０】
第２発明によれば、補強板及び固定部材は、天板及び脚の構成部材の外部に突出せず、補強板及び固定部材の突出による見栄えの悪化を抑制することができる。
【００１１】
第３発明は、上記第１又は第２発明において、前記固定部材は、一端に雄ねじ、他端に係合部を備え、前記一端が天板及び脚の一方に固定された係合体と、天板及び脚の他方に回転自在に固定され、且つ前記係合部に係合するカム面を有し、該カム面が、回転に伴って前記係合部を径方向に移動する傾斜面とされている回転体とを備える。
【００１２】
第３発明によれば、回転体を一方向に回転すると、係合部をカム面に沿って移動して、係合部が回転体の径方向内側に引き寄せられる。それにより、固定部材による天板と脚との固定力を強くすることができる。天板に係る荷重が大きくなって固定部材による固定力に反する力が強くなると、係合部は上記とは反対方向に移動される。その係合部の移動は、回転体のカム面に沿って行われ、回転体は他方向に回転される。そのため、固定部材による天板と脚との固定力は緩められる。このように緩められた固定力は、回転体を再度一方向に回転することにより上述のように再び強くすることができる。このように、回転体の回転により固定部材による固定力は強弱される。従って、弛緩構造を簡単な構成で実現することができる。
【００１３】
第４発明は、上記第１〜第３発明のいずれかにおいて、脚は、互いに隣接する２つの脚を門型に連結した門型形状とされている。
【００１４】
第４発明によれば、脚が門型とされているため、天板と脚との当接固定を、主に２つの脚を連結する連結部にて行うことができる。そのため、補強板及び固定部材と脚との固定を連結部の下面側を利用して行うことができる。従って、補強板及び固定部材と脚との固定箇所を目立たないようにして見栄えの悪化を抑制することができる。
【００１５】
第５発明は、上記第１〜第４発明のいずれかにおいて、前記補強板及び前記固定部材は金属製であり、天板及び脚は木製であり、天板及び脚における前記補強板及び前記固定部材の固定部位は、他に比べて強度を高められている。
【００１６】
補強板と天板及び脚との固定、並びに固定部材による天板と脚との固定は、天板及び脚における補強板及び固定部材の固定部位により行われる。第５発明によれば、この固定部位の強度が他に比べて高められている。そのため、各固定が強く行われたとき、天板及び脚が木製であっても、固定部位がその固定力に耐えることができる。
【図面の簡単な説明】
【００１７】
【図１】本発明の一実施形態の斜視図である。
【図２】上記実施形態の正面図である。
【図３】上記実施形態の側面図である。
【図４】上記実施形態の平面図である。
【図５】上記実施形態における脚の側面拡大図である。
【図６】上記実施形態における脚の平面拡大図である。
【図７】図３のＶＩＩ−ＶＩＩ線断面矢視拡大図である。
【図８】上記実施形態における天板と脚の分解斜視拡大図である。
【図９】図７のＩＸ−ＩＸ線断面矢視拡大図である。
【図１０】図３のＸ−Ｘ線断面矢視拡大図である。
【図１１】上記実施形態における天板の端面拡大図である。
【発明を実施するための形態】
【００１８】
図１〜１１は、本発明の一実施形態を示す。この実施形態は、天板１０の長手方向の両端部に脚２０を固定する組立式テーブル（以下、単にテーブルという）１である。ここで、テーブル１は、脚２０の上端側面が天板１０の側端面に当接固定された側部脚構造とされている。各図中、矢印によりテーブル１をフロア上に置いた状態における各部の方向を示している。以下の説明において、方向に関する記述は、この方向を基準として行うものとする。
【００１９】
図１〜６のように、脚２０は、テーブル１の前後に配置された２本の脚部２１が、各上端部で連結部２２により連結されて門型に構成されている。このように門型に構成された脚２０が、天板１０の左右両端に固定されている。天板１０下面の前後方向の略中央部には、天板１０の左右方向全長に渡って延びる棒状の反り止め１１が固定されている。反り止め１１は、天板１０に対してねじ固定され、天板１０の反りを抑制する機能を果たす。この場合、天板１０、脚２０及び反り止め１１は、全て木製である。
【００２０】
図４〜１０のように、天板１０と脚２０との固定は、補強板３０及び固定部材４０により行われている。補強板３０は、鉄板製であり、天板１０の側端面に形成された溝１０ａに左側端部が挿入され、脚２０の連結部２２の側端面に形成された溝２２ａに右側端部が挿入されている。補強板３０は、天板１０に対して固定ねじ１０ｅにより固定され、連結部２２に対して固定ねじ２２ｄにより固定されている。これらの固定のため、補強板３０には、溝１０ａに挿入される部分に６個の雌ねじ３０ｂが形成されている。また、補強板３０の溝２２ａに挿入される部分には、３個の雌ねじ３０ａが形成されている。６個の雌ねじ３０ｂに対応して天板１０の溝１０ａを成す壁面には、ねじ穴１０ｃが形成されている。また、３個の雌ねじ３０ａに対応して連結部２２の溝２２ａを成す壁面には、ねじ穴２２ｂが形成されている。図８では、各固定ねじ１０ｅ、２２ｄを各１個ずつのみ図示しているが、各固定ねじ１０ｅ、２２ｄは、補強板３０の各雌ねじ３０ｂ、３０ａに対応する数だけ設けられる。
【００２１】
図４、７、９のように、補強板３０は、天板１０の溝１０ａ及び連結部２２の溝２２ａに挿入された状態で、各固定ねじ１０ｅ、２２ｄにより固定される。この状態では、補強板３０は、天板１０及び連結部２２の内部に埋設され、外部には露出しない。このように、天板１０と連結部２２との間に跨って補強板３０が固定されると、天板１０の側端面と脚２０の連結部２２の側端面とが当接状態で固定される。
【００２２】
図７、８、１０のように、固定部材４０は、ケーシング４１（本発明における回転体に相当）及びジョイントピン４２（本発明における係合体に相当）を含むカムロックにより構成されている。カムロックの構成部材は全て金属製である。ジョイントピン４２は、一端に形成された雄ねじ４２ａが連結部２２の側端面に固定され、他端に形成された先太形状の係合部４２ｂが天板１０の側端面のジョイントピン穴１０ｄに挿入されている。連結部２２の側端面には、ナット穴２２ｃが形成され、そのナット穴２２ｃに打込みナット４４が打ち込まれて固定されている。この打込みナット４４にジョイントピン４２の雄ねじ４２ａが螺合されて固定されている。
【００２３】
ジョイントピン穴１０ｄは、天板１０の側端面から左右方向に延びて形成され、このジョイントピン穴１０ｄの奥側端部（図７、８、１０では左側端部）に連結してカムロック穴１０ｂが形成されている。カムロック穴１０ｂは、天板１０の下面から上方に延びて形成されている。カムロック穴１０ｂには、ケーシング４１が所定の摩擦抵抗を伴って回転自在に嵌合されている。上述のようにジョイントピン穴１０ｄに挿入されたジョイントピン４２の係合部４２ｂは、カムロック穴１０ｂ内まで到達しており、ケーシング４１と係合可能とされている。
【００２４】
公知のカムロックと同様、ケーシング４１には、ドライバ（工具）による回転操作のためのプラス溝４１ｂが形成されている（図８参照）。また、図１０のように、ケーシング４１には、円周方向に沿って、ジョイントピン４２の係合部４２ｂと係合する係合溝４１ａが形成されている。係合溝４１ａにジョイントピン４２の係合部４２ｂが係合した状態で、係合部４２ｂが当接する係合溝４１ａの当接面には、カム面４１ｃが形成されている。カム面４１ｃは傾斜面とされており、ケーシング４１が、図１０の矢印方向に回転すると、係合部４２ｂは、カム面４１ｃに沿ってケーシング４１の径方向内側へ移動される。このようにケーシング４１を回転することにより、ジョイントピン４２を介して連結部２２の側端面は、天板１０の側端面に対して当接固定される。
【００２５】
ケーシング４１が挿入された状態でカムロック穴１０ｂの開口側にはカバー４３が被せられている。それによりケーシング４１が外部に露出しないようにして見栄えをよくしている。図７では、カバー４３を被せた状態と被せない状態の両方の様子が判るように、３つのカムロック穴１０ｂのうち、後側の２つにはカバー４３を被せ、前側の１つにはカバー４３を被せない状態で記載している。また、図８では、図示された２つのカムロック穴１０ｂのうち、後側の１つにのみ対応してケーシング４１及びカバー４３を記載し、前側の１つに対応するケーシング４１及びカバー４３の記載を省略している。
【００２６】
ジョイントピン４２がケーシング４１から離れる方向に引張力を受けると、係合部４２ｂは、ケーシング４１の係合溝４１ａのカム面４１ｃに沿って摺動して、その反力によりケーシング４１が図１０の矢印とは反対方向に回転される。その結果、ジョイントピン４２による連結部２２の側端面と天板１０の側端面との当接固定力が緩められる。このように、ケーシング４１とジョイントピン４２との組合せによるカムロックは、本発明における弛緩構造を成している。
【００２７】
ケーシング４１を回転させるためにはカムロック穴１０ｂに対する摩擦抵抗に打ち勝つ必要があり、弛緩構造により、連結部２２の側端面と天板１０の側端面との当接固定力が緩められるための反当接方向の力は、上記摩擦抵抗により設定される。なお、本実施形態では、ジョイントピン４２を脚２０の連結部２２に固定し、ケーシング４１を天板１０に設けたが、ジョイントピン４２を天板１０に固定し、ケーシング４１を連結部２２に設けてもよい。
【００２８】
図４のように、補強板３０は、左右の脚２０に対応して２枚ずつ設けられている。また、固定部材４０は、左右の脚２０に対応して３個ずつ設けられている。各脚２０に対応して、２枚の補強板３０は３個の固定部材４０の間に挟まれて配置されている。そして、各後側の補強板３０と３個のうちの真中の固定部材との間に反り止め１１が配置されている。
【００２９】
側部脚構造であるテーブル１は、テーブル１の使用中に天板１０にかかる荷重の全てが天板１０と脚２０との当接固定部にかかる。この実施形態の場合、その荷重は、脚２０の上端側面と天板１０の側端面との当接面における摩擦力と、補強板３０の支持力とによって支持されている。
【００３０】
天板１０に加わる荷重が大きくなり、このときテーブル１が左右方向に揺らされると、天板１０に対する脚２０の左右方向の角度が直角の状態を中心に増減変化する。このとき、ジョイントピン４２は、ケーシング４１から離れる方向に引張力を受けて、弛緩構造により天板１０と脚２０の連結部２２との当接固定力が緩められる。そのため、天板１０に対する脚２０の左右方向の角度が直角の状態から増減変化したとき、補強板３０は、天板１０と脚２０との当接固定部で曲げ変形（弾性変形）される。このとき、補強板３０は、曲げ変形されながらも、天板１０と脚２０との当接固定状態を維持する。
【００３１】
即ち、天板１０に加わる荷重が大きくなると、弛緩構造によって固定部材４０による固定状態が弛むため、補強板３０が弾性変形しながら荷重を支持する。そのため、天板１０と脚２０は、両者の当接固定部が関節となって変形して破損を免れることができる。
【００３２】
以上のとおり、本実施形態によれば、テーブル１の天板１０が大きな荷重を受けたとき、固定部材４０による天板１０と脚２０との固定状態を緩くし、補強板３０を変形させることにより、テーブル１の強度を確保している。そのため、テーブル１としての強度を確保するため、天板１０及び脚２０として大型の素材を用いる、又は天板１０と脚２０との間に筋交いを用いる必要を無くすことができる。従って、当接固定部が大型化せず、斬新にしてデザイン性に優れたテーブル１を得ることができる。
【００３３】
しかも、補強板３０及び固定部材４０は、天板１０及び脚２０の構成部材内に埋設されており、外部に突出しないため、補強板３０及び固定部材４０の突出による見栄えの悪化を抑制することができる。また、脚２０が門型とされているため、天板１０と脚２０との当接固定を、主に２つの脚部２１を連結する連結部２２にて行うことができる。そのため、補強板３０及び固定部材４０と脚２０との固定を連結部２２の下面側を利用して行うことができる。従って、補強板３０及び固定部材４０と脚２０との固定箇所を目立たないようにして見栄えの悪化を抑制することができる。
【００３４】
図１１は、天板１０の端面構造を示す。天板１０の端面において、補強板３０が挿入される部位、及び固定部材４０が設けられる部位は、集成材１０ｆ、１０ｇにより構成されている。具体的には、天板１０の端面の中央部に位置する集成材１０ｇは上下に分割されて、それら上下間に溝１０ａが形成されている。また、集成材１０ｇの前後両側の集成材１０ｆには、ジョイントピン穴１０ｄが形成されている。このように補強板３０が挿入される部位、及び固定部材４０が設けられる部位は、補強板３０及び固定部材４０の固定部位であり、集成材１０ｆ、１０ｇにより構成されている。
【００３５】
天板１０の端面において、集成材１０ｆ、１０ｇの上下は、中密度繊維板１０ｈに被われている。中密度繊維板１０ｈに比べて集成材１０ｆ、１０ｇは、強度が高くされている。補強板３０及び固定部材４０により天板１０及び脚２０の連結部２２の当接固定が行われたとき、各固定部位は固定力に相当する強度を必要とする。本実施形態では、固定部位の強度が高められているため、固定力に耐えることができる。なお、天板１０の端面の上面及び前後側面に掛けての領域には、連続する表皮シート１０ｊが化粧用として被せられている。
【００３６】
脚２０は、全体として無垢材により構成されている。具体的には、オーク材が使用される。従って、脚２０において、補強板３０が挿入される部位、及び固定部材４０が設けられる部位は、補強板３０及び固定部材４０の固定部位とされ、固定力に耐える強度を備えている。
【００３７】
以上、特定の実施形態について説明したが、本発明は、それらの外観、構成に限定されず、本発明の要旨を変更しない範囲で種々の変更、追加、削除が可能である。例えば、上記実施形態では、天板の長手方向の両端部に補強板と固定部材とを設けて脚を固定したが、天板の短手方向の両端部に補強板と固定部材とを設けて脚を固定してもよい。
【符号の説明】
【００３８】
１      テーブル（組立式テーブル）
１０    天板
１０ａ  溝
１０ｂ  カムロック穴
１０ｃ  ねじ穴
１０ｄ  ジョイントピン穴
１０ｅ  固定ねじ
１０ｆ  集成材
１０ｇ  集成材
１０ｈ  中密度繊維板
１０ｊ  表皮シート
１１    反り止め
２０    脚
２１    脚部
２２    連結部
２２ａ  溝
２２ｂ  ねじ穴
２２ｃ  ナット穴
２２ｄ  固定ねじ
３０    補強板
３０ａ  雌ねじ
３０ｂ  雌ねじ
４０    固定部材
４１    ケーシング（回転体）
４１ａ  係合溝
４１ｂ  プラス溝
４１ｃ  カム面（傾斜面）
４２    ジョイントピン（係合体）
４２ａ  雄ねじ
４２ｂ  係合部
４３    カバー
４４    打込みナット
【図１】
2018029692.tif 000003
【図２】
2018029692.tif 000004
【図３】
2018029692.tif 000005
【図４】
2018029692.tif 000006
【図５】
2018029692.tif 000007
【図６】
2018029692.tif 000008
【図７】
2018029692.tif 000009
【図８】
2018029692.tif 000010
【図９】
2018029692.tif 000011
【図１０】
2018029692.tif 000012
【図１１】
2018029692.tif 000013